(57)【要約】【課題】小型で部品点数の少ない家庭用精米機を提供する。【解決手段】多数の孔６を有する除糠網７と、該除糠網７を包囲する集糠筒３と、前記除糠網７及び前記集糠筒３の上部解放部をふさぐ蓋２と、前記除糠網７の底部中央に設けた回転自在な精米羽根８と、該精米羽根８に回転力を与えるモータ１０と、該モータを内装する基台４と、を備えた家庭用精米機１において、前記集糠筒３と前記基台４とを当接することにより前記モータ１０を駆動させて精米を開始させるスイッチ手段１７を設ける。【選択図】図２
2018187529.tif 000002
【特許請求の範囲】
【請求項１】
多数の孔を有する除糠網と、
該除糠網を包囲する集糠筒と、
前記除糠網及び前記集糠筒の上部解放部をふさぐ蓋と、
前記除糠網の底部中央に設けた回転自在な精米羽根と、
該精米羽根に回転力を与えるモータと、
該モータを内装する基台と、
を備えた家庭用精米機において、
前記集糠筒と前記基台とを当接することにより前記モータを駆動させて精米を開始させるスイッチ手段を有することを特徴とする家庭用精米機。
【請求項２】
前記スイッチ手段を複数設け、それぞれのスイッチ手段で異なる精米モードとなるようにすることを特徴とする請求項１の家庭用精米機。
【請求項３】
前記スイッチ手段は、前記集糠筒の下端に設けた凸部と、該凸部が嵌合するように前記基台の上端に設けられた嵌合部と、前記嵌合部内に設けたセンサとからなり、
前記凸部が前記嵌合部に嵌合することによって前記センサが発する信号により前記モータを駆動制御する制御手段を有することを特徴とする請求項1又は請求項２の家庭用精米機。
【請求項４】
前記集糠筒を透明な部材で形成したことを特徴とする請求項１乃至請求項３の家庭用精米機。
【請求項５】
前記除糠網は玄米を一合程度の小型に形成したことを特徴とする請求項１乃至請求項４の家庭用精米機。
【発明の詳細な説明】
【技術分野】
【０００１】
本発明は、家庭用精米機に関し、特に小型化と部品点数の削減に関するものである。
【背景技術】
【０００２】
従来、家庭の台所等で玄米を搗精して白米にする家庭用精米機が知られている（特許文献１）。
【０００３】
このものは、除糠用多孔壁を設けた臼形容器の内側底部に回転する撹拌用突片を設け、玄米を前記臼形容器に投入し、前記撹拌用突片を回転させることで玄米を搗精し、糠を前記除糠用多孔壁から排出させるものである。
【０００４】
上記家庭用精米機は、好みに応じた精米ができるよう複数の精米モード運転（胚芽精米、分搗精米、通常精米等）を可能にするため操作パネル等が必要となり、生産コストが高くなるという問題があった。
【先行技術文献】
【特許文献】
【０００５】
【特許文献１】特許第４０００４３４号
【発明の概要】
【発明が解決しようとする課題】
【０００６】
そこで、本発明は上記問題点にかんがみ、生産コストを抑えた家庭用精米機を提供することを技術的課題とする。
【課題を解決するための手段】
【０００７】
上記課題を解決するため本発明の家庭用精米機は、
多数の孔を有する除糠網と、該除糠網を包囲する集糠筒と、前記除糠網及び前記集糠筒の上部解放部をふさぐ蓋と、前記除糠網の底部中央に設けた回転自在な精米羽根と、該精米羽根に回転力を与えるモータと、該モータを内装する基台と、を備えた家庭用精米機において、
前記集糠筒と前記基台とを当接することにより前記モータを駆動させて精米を開始させるスイッチ手段を有する
という技術的手段を講じた。
【０００８】
請求項２によれば、前記スイッチ手段を複数設け、それぞれのスイッチ手段で異なる精米モードとなるようにすることを特徴とする。
【０００９】
請求項３によれば、前記スイッチ手段は、前記集糠筒の下端に設けた凸部と、該凸部が嵌合するように前記基台の上端に設けられた嵌合部と、前記嵌合部内に設けたセンサとからなり、前記凸部が前記嵌合部に嵌合することによって前記センサが発する信号により前記モータを駆動制御する制御手段を有することを特徴とする。
【００１０】
請求項４によれば、前記集糠筒を透明な部材で形成したことを特徴とする。
【００１１】
請求項５によれば、前記除糠網は玄米を一合程度の小型に形成したことを特徴とする。
【発明の効果】
【００１２】
本発明の家庭用精米機によれば、
前記集糠筒と前記基台とを当接することにより前記モータを駆動させて精米を開始させるスイッチ手段を有するので、操作パネルを不要とすることができる。このため家庭用精米機の生産コストを抑えることができる。
【００１３】
また、前記スイッチ手段を複数設け、それぞれのスイッチ手段で異なる精米モードとしたので、前記スイッチ手段の選択によって精米モードを変更することができる。このため、操作パネルを設けることなく、好みにあった精米を行うことができる。
【００１４】
また、前記スイッチ手段は、前記集糠筒の下端に設けた凸部と、該凸部が嵌合するように前記基台の上端に設けられた嵌合部と、前記嵌合部内に設けたセンサとからなり、
前記凸部が前記嵌合部に嵌合することによって前記センサが発する信号により前記モータを駆動制御する制御手段を有するので、
前記集糠筒と前記基台とが確実に嵌合しなければ前記モータが駆動せず前記精米羽根も回転しない。このため、精米作業を安全に行うことができる。
【００１５】
また、前記集糠筒を透明な部材で形成したので、精米中の内部を監視することができる。このため、精米に異常がないかを常に監視することができる。
【００１６】
また、前記除糠網は玄米を一合程度の小型に形成したので、家庭用精米機全体を小さくすることができる。このため、生産コストを抑えることができる。
【図面の簡単な説明】
【００１７】
【図１】本発明の家庭用精米機の斜視図である。
【図２】本発明の家庭用精米機の断面図である。
【図３】本発明の家庭用精米機の実施例である（基台内部の構成部品は省略）。
【図４】本発明の家庭用精米機の別の実施例である（基台内部の構成部品は省略）。
【図５】本発明の家庭用精米機の制御に関するブロック図である。
【発明を実施するための形態】
【００１８】
本発明を実施するための形態を図面を参照しながら説明する。
図１は、本発明の家庭用精米機の斜視図であり、図２は、本発明の家庭用精米機の断面図であり、図３は、本発明の家庭用精米機の実施例であり、図４は、本発明の家庭用精米機の別の実施例であり、図５は、本発明の家庭用精米機の制御に関するブロック図である。
【００１９】
図１に示すように、家庭用精米機１は、それぞれ分離可能な蓋２、集糠筒３、及び脚５を有する基台４から構成される。
【００２０】
図２に示すように、前記家庭用精米機１の内部は、多数の孔６を有する上下方向に立設された除糠網７と該除糠網７内に回転可能に設けられた主軸９と、該主軸９に軸着した精米羽根８と、前記除糠網７と前記精米羽根８との間に形成した精白室１４と、前記除糠網７と前記集糠筒３との間に形成される除糠室１５と該除糠室１５の下端に精米工程で生じた糠を回収する糠受け１６と、前記基台４に内装されたモータ１０と、図示しない電源から主要部が構成される。
【００２１】
図３は前記集糠筒３と前記基台４を分離した際の図である。前記集糠筒３の下端に凸部１１を設けてあり、該凸部１１は、前記基台４の上端の嵌合部１２に嵌合できるようにしてある。
【００２２】
スイッチ手段１７の拡大図を図２に示す。スイッチ手段１７は、前記凸部１１が前記嵌合部１２に嵌合し、前記凸部１１の先端が前記嵌合部１２内に設けたセンサ１３に接触することで、前記センサ１３から信号が発せられ前記モータ１０が駆動され精米を開始する。
【００２３】
なお、前記除糠網７の大きさを1合（１８０ｍｌ）程度で製造すれば、一般的な３合乃至５合能力の家庭用精米機と比較し、小型化した精米機とすることができる。
また、前記集糠筒３を透明な部材で製造すれば、使用者は糠が回収される工程を見ることができ、精米状態（糠切れ）等をチェックすることが可能となる。
【００２４】
別の実施例を説明する。図４に示すように、前記嵌合部１２を二カ所（１２a、１２b）設けることで、前記凸部をどちらの嵌合部（１２a又は１２b）に嵌合させるかを使用者が選択でき、それぞれに応じて精米モードを変更できるようにしている。例えば、嵌合部１２aを選択した場合は通常精米が行われるように精米時間を６０秒とし、嵌合部１２bを選択した場合は胚芽米精米が行われるように精米時間を５０秒とする。なお、精米モードは精米時間の長短ではなく、前記モータ１０の回転数を制御し前記精米羽根８の回転数を変更する仕様としてもよい（胚芽米モードは精米モードよりも回転数を落とす。）。
【００２５】
なお、各々の前記嵌合部（１２a、１２b）周辺に「通常精米モード」「胚芽米モード」と表示しておけば、使用者は精米モードを間違うことなく精米を行うことができる。図４では、嵌合部１２を二カ所（１２aと１２b）としているが、精米モードを更に多様に設定するのであれば嵌合部を三カ所以上としてもよい。
【００２６】
図５の制御に関するブロック図について説明する。本ブロック図の主要部である制御手段２４は、ＣＰＵ２１、タイマ２２及びＲＯＭ２３から構成される。また、家庭用精米機１の外部から供給される電源１８は、安全リミットスイッチ１９及びA/D変換器２０を介して前記ＣＰＵ２１を含む家庭用精米機１に電力を供給する構成である。
ここで、センサを二つ（１３aと１３b）設けることで二つの精米モードに対応できるようにした例で説明する。前記センサ（１３aと１３b）と接続された前記ＣＰＵ２１は、どちらのセンサから信号が送られてきたかを判断し、当該信号に基づいて前記ＣＰＵ２１に接続された前記ＲＯＭ２３内に記憶された各精米モードに対応した時間だけ精米するようにタイマ２２を用いてモータ１０を制御する。
【００２７】
本実施例では、前記凸部１１を垂直に下して前記嵌合部１２に嵌合させて前記センサ１３から信号を送らせているが、前記集糠筒３を前記基台４に載置して、前記集糠筒３を前記基台４に対して回転させることにより前記センサ１３から信号を送らせてもよい。この場合、右に回転させた場合と、左に回転させた場合とで異なる精米モードとしてもよい。
【００２８】
本発明の家庭用精米機１の作用を説明する。
【００２９】
家庭用精米機１の前記基台４から前記集糠筒３及び前記蓋２を取外し、前記集糠筒３の内側の前記除糠網７に玄米を投入し、前記蓋２を前記集糠筒３にかぶせ、該集糠筒３下端の前記凸部１１を前記基台４上端の前記嵌合部１２にセットする。
【００３０】
前記蓋２を上から抑えることにより、前記凸部１１の先端が前記嵌合部１２の内部にある前記センサ１３に接触し、精米開始の信号が前記モータ１０へ伝えられる。
【００３１】
前記モータ１０の駆動力が前記主軸９に伝えられて、前記精白室１４内の前記精米羽根８を回転させて玄米は搗精される。玄米から剥離された糠は前記除糠網７から前記除糠室１５を経て前記糠受け１６で回収される。
【００３２】
精米条件（精米羽根の回転数、精米時間）はあらかじめ家庭用精米機１のＲＯＭ２３に記録されているため、使用者は前記モータ１０や前記精米羽根８の回転が止まり、精米作業が終了するのを待つだけでよい。
【００３３】
精米後は、前記集糠筒３を前記基台４から取外し、更に前記蓋２を開けて前記除糠網７内の精米を取り出す。精米作業で生じた糠は、前記糠受け１６に溜まるので適宜排出する。
【００３４】
家庭用精米機１は、前記凸部と前記嵌合部１２が確実に嵌合しなければ精米は開始されないので精米作業時の安全性を高めることが可能となる。さらに、前記凸部１１と前記嵌合部１２から外せば前記センサ１３からの信号が遮断されるため、非常時に精米を緊急的に止めることもできる。
【産業上の利用可能性】
【００３５】
本発明の家庭用精米機は、従来の家庭用精米機と比較し、コストを削減できるため、極めて有用である。
【符号の説明】
【００３６】
１    家庭用精米機
２    蓋
３    集糠筒
４    基台
５    脚
６    孔
７    除糠網
８    精米羽根
９    主軸
１０    モータ
１１    凸部
１２    嵌合部
１３    センサ
１４    精白室
１５    除糠室
１６    糠受け
１７    スイッチ手段
１８    電源
１９    安全リミットスイッチ
２０    A/D変換器
２１    ＣＰＵ
２２    タイマ
２３    ＲＯＭ
２４    制御手段
【図１】
2018187529.tif 000003
【図２】
2018187529.tif 000004
【図３】
2018187529.tif 000005
【図４】
2018187529.tif 000006
【図５】
2018187529.tif 000007